(57)【要約】【課題】構成を複雑にすることなくカメラの電池室内に空気を供給することができるようにする。【解決手段】カメラ１の筺体（ケース）は、鏡筒２が設けられた前カバー５と後カバー６から形成されている。また、カメラ１の筺体の内部には、前カバー５と後カバー６で一部が形成された、燃料電池３を収納する電池室４が設けられている。前カバー５と後カバー６は、当接部８ａ，８ｂを当接させた状態で、ビス等の締付部材７ａ，７ｂにより、カメラ本体に固定されている。合わせ部８の中央には、電池室４と連通する空気孔８ｃが設けられている。本発明は、燃料電池を電源に使用するカメラに適用することができる。【選択図】      図１
2004212835.tif 000002
【特許請求の範囲】
【請求項１】
燃料電池を電源に使用する電子機器において、
前記燃料電池を収納する電池室と、
前記電池室の一部を構成する少なくとも２つの固定外観部材と、
少なくとも２つの前記固定外観部材の一方と他方が合わせられた合わせ部と、
前記合わせ部の一部分もしくは全体に設けられた、前記電池室に連通する空気孔と
を備えることを特徴とする電子機器。
【請求項２】
前記合わせ部の前記固定外観部材の一方と他方には、一方の突出部が他方の凹部に挿通され、他方の突出部が一方の凹部に挿通される突出部と凹部がそれぞれ形成され、
前記合わせ部の前記固定外観部材の一方には、前記空気孔から前記電池室へ連通する少なくとも１つの気道が形成される
ことを特徴とする請求項１に記載の電子機器。
【請求項３】
前記気道は、前記突出部に設けられた、少なくとも１つの溝により構成される
ことを特徴とする請求項２に記載の電子機器。
【請求項４】
前記気道は、前記突出部に設けられた少なくとも１つの開口により構成される
ことを特徴とする請求項２に記載の電子機器。
【請求項５】
前記気道は、前記突出部に設けられた開口と溝とから構成される
ことを特徴とする請求項２に記載の電子機器。
【請求項６】
前記固定外観部材の一方は、前記突出部に爪部を有し、
他方の前記固定外観部材は、前記開口として、前記爪部を係止する係止孔を有する
ことを特徴とする請求項４または５に記載の電子機器。
【発明の詳細な説明】
【０００１】
【発明の属する技術分野】
本発明は、電子機器に関し、特に、燃料電池を収容する電池室に、空気を、確実に、供給することができるようにした電子機器に関する。
【０００２】
【背景技術】
従来、カメラの電源としては、リチウム電池やアルカリマンガン電池が使用されていた。ところが、近年、燃料電池の小型化が進み、カメラの電源として、燃料電池を使用することが考えられている。
【０００３】
【発明が解決しようとする課題】
しかしながら、燃料電池は、発電に酸素を必要とするが、燃料電池を従来のような密閉された電池室内に収容状態にしておくと、十分な酸素を得ることできないため、燃料電池が充分な電力を供給することが困難になる恐れがある。
【０００４】
本発明はこのような状況に鑑みてなされたものであり、電池室内に空気を簡単、かつ、確実に、供給することができるようにすることを目的とする。
【０００５】
【課題を解決するための手段】
本発明の電子機器は、燃料電池を収納する電池室と、電池室の一部を構成する少なくとも２つの固定外観部材と、少なくとも２つの固定外観部材の一方と他方が合わせられた合わせ部と、合わせ部の一部分もしくは全体に設けられた、電池室に連通する空気孔とを備えることを特徴とする。
【０００６】
合わせ部の固定外観部材の一方と他方には、一方の突出部が他方の凹部に挿通され、他方の突出部が一方の凹部に挿通される突出部と凹部がそれぞれ形成され、合わせ部の固定外観部材の一方には、空気孔から電池室へ連通する少なくとも１つの気道を形成させることができる。
【０００７】
気道は、突出部に設けられた、少なくとも１つの溝により構成させることができる。
【０００８】
気道は、突出部に設けられた少なくとも１つの開口により構成させることができる。
【０００９】
気道は、突出部に設けられた開口と溝とから構成させることができる。
【００１０】
固定外観部材の一方は、突出部に爪部を有し、他方の固定外観部材は、開口として、爪部を係止する係止孔を有させることができる。
【００１１】
本発明においては、固定外観部材の合わせ部に、電池室に連通する空気孔が設けられ、電池室内に空気が供給される。
【００１２】
【発明の実施の形態】
以下、本発明を適用したカメラについて説明する。図１に示されるように、カメラ１の筺体（ケース）は、鏡筒２が設けられた前カバー５と、前カバー５に対して組み合わされる後カバー６から形成されている。また、カメラ１の筺体の内部には、前カバー５と後カバー６により一部が形成された、電池室４が形成されている。電池室４は内部に燃料電池３を収納する。前カバー５と後カバー６は、ビス等の締付部材７ａ，７ｂにより、前カバー５と後カバー６が合わせられた合わせ部８の、図中、上下端部に設けられた当接部８ａ，８ｂを接しさせた状態で、不図示のカメラ本体に固定されている。さらに、合わせ部８の中央には、電池室４と連通する空気孔８ｃが設けられている。
【００１３】
図２に空気孔８ｃの横断面の構成を示す。燃料電池３が収納される電池室４は、前カバー５、後カバー６、および電池室部材９から形成されている。空気孔８ｃは、電池室４と連通しており、カメラ１の筺体の外部の空気は、この空気孔８ｃを通り、電池室４に供給され、燃料電池３の発電に使用される。燃料電池３から排出された酸素の乏しい空気は、逆に、空気孔８ｃを通り、筺体の外部に排出される。
【００１４】
本発明を適用した他の実施の形態を図３に示す。図１に示す部分に対応する部分には同一の符号を付してあり、その説明は適宜省略する。この例においては、合わせ部８の全体に、空気孔１０が設けられている。また、図中、合わせ部８の上下端部に設けられた当接部８ａ，８ｂは、カメラ１の筺体の内部に設けられている。
【００１５】
空気孔１０の横断面の構成を図４に示す。合わせ部８は、前カバー５と後カバー６にそれぞれ形成された突出部５ａ，６ａと、凹部５ｂ，６ｂから構成されており、突出部５ａが凹部６ｂに、突出部６ａが凹部５ｂに、それぞれ挿通（嵌合）されている。
【００１６】
図５に示されるように、前カバー５の突出部５ａと面５ｃには、中央に溝５ｄが設けられている。したがって、カメラ１の筺体の外部の空気は、空気孔１０から、溝５ｄを通り、電池室４に供給される。逆に、燃料電池３から排出された酸素の乏しい空気は、溝５ｄから、空気孔１０を通り、筺体の外部に排出される。
【００１７】
他の空気孔１０の横断面の構成を図６に示す。図４に示す部分に対応する部分には同一の符号を付してあり、その説明は適宜省略する。この例においては、後カバー６の突出部６ａには、電池室４に連通する、突出部６ａの、図中、左端から、空気孔１０の、図中、横方向の幅より大きい幅の開口６ｃが設けられている。カメラ１の筺体の外部の空気は、空気孔１０から、開口６ｃを通り、電池室４に供給される。逆に、燃料電池３から排出された酸素の乏しい空気は、開口６ｃから、空気孔１０を通り、筺体の外部に排出される。
【００１８】
さらに、他の空気孔１０の横断面の構成を図７に示す。図６に示す部分に対応する部分には同一の符号を付してあり、その説明は適宜省略する。この例においては、前カバー５の突出部５ａには、図８に示されるように、中央に、爪部５ｅが設けられている。また、突出部６ａには、図９に示されるように、爪部５ｅに対応する位置に係止孔６ｄが設けられている。前カバー５と後カバー６が合わせ部８で合わせられたとき、爪部５ｅは、係止孔６ｄによって係止される。
【００１９】
カメラ１の筺体の外部の空気は、空気孔１０から、係止孔６ｄを通り、電池室４に供給される。また、燃料電池３から排出された水分を含んだ空気は、係止孔６ｄから、空気孔１０を通り、筺体の外部に排出される。
【００２０】
さらに、他の空気孔１０の横断面の構成を図１０に示す。図７に示す部分に対応する部分には同一の符号を付してあり、その説明は適宜省略する。この例においては、前カバー５の突出部５ａには、図１１に示されるように、中央に設けられた爪部５ｅの、図中、右端部から突出部５ａの左端部まで、爪部５ｅの周りを囲うように、溝５ｆが設けられている。また、後カバー６の突出部６ａには、図１２に示されるように、爪部５ｅに対応する位置に、係止孔６ｄが設けられている。前カバー５と後カバー６が合わせ部８で合わせられたとき、爪部５ｅは、係止孔６ｄによって係止される。
【００２１】
カメラ１の筺体の外部の空気は、空気孔１０から、溝５ｆを通り、係止孔６ｄから電池室４に供給される。また、燃料電池３から排出された酸素の乏しい空気は、係止孔６ｄから、溝５ｆを通り、空気孔１０から、筺体の外部に排出される。
【００２２】
なお、上述の説明では、溝５ｄと溝５ｆは、前カバー５に設けられているが、後カバー６に設けられてもよい。また、空気孔８ｃ，１０は１つとなっているが、複数に分割して設けられても良い。さらに、開口６ｄは１つとなっているが、複数設けられても良い。
【００２３】
以上、本発明をカメラに適用した場合を例として説明したが、本発明はカメラ以外の携帯用の電子機器に適用することができる。
【００２４】
【発明の効果】
以上のように、本発明によれば、電池室内に空気を供給することができる。また、構造を複雑にすることなく、簡単、かつ確実に空気を供給することが可能となる。
【図面の簡単な説明】
【図１】本発明を適用したカメラの構成を示す側面図である。
【図２】図１の空気孔の横断面の構成を示す部分側断面図である。
【図３】本発明を適用したカメラの構成を示す側面図である。
【図４】図３の空気孔の横断面の構成を示す部分側断面図である。
【図５】図４の前カバーの構成を示す部分斜視図である。
【図６】図３の空気孔の横断面の構成を示す部分側断面図である。
【図７】図３の空気孔の横断面の構成を示す部分側断面図である。
【図８】図７の前カバーの構成を示す部分斜視図である。
【図９】図７の後カバーの構成を示す部分斜視図である。
【図１０】図３の空気孔の横断面の構成を示す部分側断面図である。
【図１１】図１０の前カバーの構成を示す部分斜視図である。
【図１２】図１０の後カバーの構成を示す部分斜視図である。
【符号の説明】
１  カメラ
２  鏡筒
３  燃料電池
４  電池室
５  前カバー
５ａ  突出部
５ｂ  凹部
５ｃ  面
５ｄ  溝
５ｅ  爪部
５ｆ  溝
６  後カバー
６ａ  突出部
６ｂ  凹部
６ｃ  開口
６ｄ  係止孔
７ａ，７ｂ  締付部材
８  合わせ部
８ａ，８ｂ  当接部
８ｃ  空気孔
９  電池室部材
１０  空気孔
【図１】
2004212835.tif 000003
【図２】
2004212835.tif 000004
【図３】
2004212835.tif 000005
【図４】
2004212835.tif 000006
【図５】
2004212835.tif 000007
【図６】
2004212835.tif 000008
【図７】
2004212835.tif 000009
【図８】
2004212835.tif 000010
【図９】
2004212835.tif 000011
【図１０】
2004212835.tif 000012
【図１１】
2004212835.tif 000013
【図１２】
2004212835.tif 000014